(57)【要約】【課題】  大空間における床面近くの居住域を複数の領域に分け、領域ごとの人の存在を検出して、人が存在する領域にのみ調和空気を供給し、必要箇所での空気調和を確保しつつ、全体での省エネルギー化を図れる空気調和システムを提供する。【解決手段】  空気調和対象空間に設定した領域ごとの床下チャンバ２０に対し、調和空気をダクト３０で送込むようにすると共に、ダクト３０と床下チャンバ２０との間に流量調整部を配設し、また、人感センサ６０で人の存在を検出し、人が存在する場合には流量調整部を調和空気が通過する状態とし、人が存在しない場合には流量調整部を調和空気の通過を抑える状態として、床下チャンバ２０を経ての調和空気の吹出しを人の存在状況に応じて行うことで、空気調和の実行にあたり、供給不要な領域には調和空気を吹出さず、空気調和に係るエネルギー消費の無駄を小さくして、空気調和に係るコストの抑制が図れる。【選択図】  図１
2014202417.tif 000002
【特許請求の範囲】
【請求項１】
空気調和の対象空間に面する開口部を有して前記空気調和対象空間の床に配設され、供給される調和空気を前記開口部から空気調和対象空間に吹出す吹出口装置を多数備える空気調和システムにおいて、
空気調和対象空間の床上に、人の座る座席が多数設けられると共に、空気調和の単位領域が複数設定され、
当該単位領域は、複数の座席を含む床上の所定範囲とされて、空気調和対象となる全ての座席がいずれかの単位領域内に入るように設定されてなり、
前記吹出口装置が、調和空気の吹出し範囲に一又は複数の座席を含んで前記単位領域ごとに複数配設され、一単位領域内の全ての座席がいずれかの吹出口装置の吹出し範囲に位置するようにされてなり、
略箱状体として空気調和対象空間の床下に複数配設され、前記各単位領域ごとに各吹出口装置にそれぞれ接続され、供給された調和空気を各単位領域ごとに各吹出口装置に分配する床下チャンバと、
複数分岐して前記各床下チャンバと接続され、調和空気を各床下チャンバに供給するダクトと、
各床下チャンバとダクトの間に介在させて単位領域ごとにそれぞれ配設され、ダクトから床下チャンバへ向かう調和空気の流量をあらかじめ設定された値に調整する複数の流量調整部と、
前記ダクトの端部に接続され、調和空気をダクトを通じ各床下チャンバに向けて送給する空気調和装置と、
人の存在の有無を検出可能として前記各単位領域ごとに複数配設され、検出範囲に一又は複数の座席を含み、且つ一単位領域内の全ての座席がいずれかの検出範囲に含まれる配置とされる人感センサと、
前記各単位領域ごとの各人感センサの検出情報を入力され、単位領域におけるいずれかの人感センサで人の存在を検出した場合は、単位領域ごとの前記流量調整部が床下チャンバに向かう調和空気流量を所定の設定流量とし、また、単位領域におけるいずれの人感センサでも人の存在を検出できない場合は、単位領域ごとの流量調整部が床下チャンバに向かう調和空気流量を０又は所定の最小流量とするように、流量調整部の作動制御を行う制御部とを備え、
当該制御部による制御で、人感センサで人の存在を検出した場合に、前記流量調整部の床下チャンバに向かう調和空気流量として与えられる前記設定流量が、前記床下チャンバに接続された各吹出口装置から吹出される調和空気を、いずれも床上所定高さ範囲まで到達させられる所定流量であることを
特徴とする空気調和システム。
【請求項２】
前記請求項１に記載の空気調和システムにおいて、
前記制御部の制御に基づく各単位領域の流量調整部の流量調整内容を、管理者の認識可能な状態で報知する報知手段を備え、
前記制御部が、管理者の所定の操作入力を受けて、流量調整部に対し前記人感センサの検出結果に基づく流量調整状態を変更する制御を実行可能とされることを
特徴とする空気調和システム。
【請求項３】
前記請求項１又は２に記載の空気調和システムにおいて、
前記流量調整部、人感センサ、及び制御部が、それぞれ通信手段を備え、
前記制御部が、複数の流量調整部の作動制御をまとめて行うものとされ、
前記各単位領域の各人感センサからの検出情報が、前記通信手段間の無線通信を経て制御部に入力されると共に、制御部からの制御指令情報が通信手段間の無線通信を経て各流量調整部に伝えられ、制御指令情報に基づいて流量調整部が作動することを
特徴とする空気調和システム。
【請求項４】
前記請求項１ないし３のいずれかに記載の空気調和システムにおいて、
前記座席が、椅子状とされて、空気調和対象空間の床上に、左右方向に複数隣接状態で並べた列を、さらに前後に所定間隔で略平行に並べる複数列配置として設けられ、
前記吹出口装置は、座席下方の床位置に配設され、調和空気の吹出し対象を、吹出口上側の座席に対し後列側に位置する複数の座席とされ、
前記人感センサが、前記調和空気の吹出し対象となる前記後列側の複数の座席を少なくとも見通せる前記吹出口装置上の所定位置に配置されることを
特徴とする空気調和システム。
【請求項５】
前記請求項１ないし４のいずれかに記載の空気調和システムにおいて、
前記各単位領域ごとに、単位領域内の環境に係る所定の情報を検出し取得する所定のセンサを備え、
前記制御部が、前記センサの検出情報を入力され、センサ及び人感センサの各検出情報に基づいて、前記流量調整部の調和空気流量を前記設定流量とするか、又は、０もしくは所定の最小流量とするか、を決定し、当該決定に基づいて流量調整部の作動制御を行うことを
特徴とする空気調和システム。
【請求項６】
前記請求項１ないし５のいずれかに記載の空気調和システムにおいて、
前記制御部が、前記人感センサの検出情報の入力を受け、人の存在検出の有無に基づいて前記流量調整部の調和空気流量を維持又は変更する制御を所定の時間間隔で実行すると共に、当該制御の間隔を、空気調和対象空間の使用形態に基づいて既知となっている、空気調和対象空間における人の行動に係る状況の変化、に合わせて変更調整することを
特徴とする空気調和システム。
【発明の詳細な説明】
【技術分野】
【０００１】
本発明は、ホール等の大空間において、床に設けられた吹出口から調和空気を吹出す空気調和システムに関し、特に、人感センサにより検出した人の在席状況に応じて調和空気の吹出しを制御するシステムに関する。
【背景技術】
【０００２】
映画館やホール、劇場などの大室内空間に対する空気調和では、以前は調和空気を吹出す吹出口を天井や壁等に複数設置すると共に、客席をなす座席（椅子）の下方など、通路以外の床部分に吸込口を配設し、室内空間の空気を速やかに入換えて室内空間全体に対する迅速な空気調和が行えるようにしていたが、近年、空気調和に係るエネルギー消費を抑えるために、室内空間の床に吹出口を設置して調和空気を吹出すようにして、座席周辺の居住域（タスク域）に対する効率のよい空気調和を行う例が増えている。このような場合に用いられる従来の床設置型の吹出口装置の例として、特開平６−１９３９５６号公報や特開２０１１−９４８２４号公報に開示されるものがある。
【先行技術文献】
【特許文献】
【０００３】
【特許文献１】特開平６−１９３９５６号公報
【特許文献２】特開２０１１−９４８２４号公報
【発明の概要】
【発明が解決しようとする課題】
【０００４】
従来の吹出口装置は前記各特許文献に示される構成となっており、こうした吹出口に対しては、一又は複数設けた空気調和装置で集中的に生じさせた調和空気を、床下空間やダクトを通じて床面の各吹出口に分配、供給する手法が一般的に採用されている。ただし、座席への人の在席状況が場合によって異なるなど、空気調和に係る条件の変化に対して、床に多数設けられる吹出口ごとの細かい吹出制御は、技術的にもコスト的にも難しいことから従来行われておらず、吹出口周囲の座席に人が全く在席していない場合でも、吹出口からの調和空気の吹出しは変わることなく行われていた。このように、本来人が存在する箇所にのみ空気調和を行えば十分であるにもかかわらず、人が存在しない座席部分に対しそのまま調和空気の吹出しがなされていたことから、空気調和における無駄なエネルギー消費は依然大きく、空気調和のコスト削減を十分には実現できていない、という課題を有していた。
【０００５】
本発明は前記課題を解消するためになされたもので、大空間における床面近くの居住域を複数の領域に分けて管理し、領域ごとの人の存在の有無を検出して、人が存在する領域の吹出口にのみ調和空気の供給を行い、必要な箇所での空気調和状態を確保しつつ、空気調和系統全体での省エネルギー化を図れると共に、空気調和用の設備を簡略化でき、コストを抑制できる空気調和システムを提供することを目的とする。
【課題を解決するための手段】
【０００６】
本発明に係る空気調和システムは、空気調和の対象空間に面する開口部を有して前記空気調和対象空間の床に配設され、供給される調和空気を前記開口部から空気調和対象空間に吹出す吹出口装置を多数備える空気調和システムにおいて、空気調和対象空間の床上に、人の座る座席が多数設けられると共に、空気調和の単位領域が複数設定され、当該単位領域は、複数の座席を含む床上の所定範囲とされて、空気調和対象となる全ての座席がいずれかの単位領域内に入るように設定されてなり、前記吹出口装置が、調和空気の吹出し範囲に一又は複数の座席を含んで前記単位領域ごとに複数配設され、一単位領域内の全ての座席がいずれかの吹出口装置の吹出し範囲に位置するようにされてなり、略箱状体として空気調和対象空間の床下に複数配設され、前記各単位領域ごとに各吹出口装置にそれぞれ接続され、供給された調和空気を各単位領域ごとに各吹出口装置に分配する床下チャンバと、複数分岐して前記各床下チャンバと接続され、調和空気を各床下チャンバに供給するダクトと、各床下チャンバとダクトの間に介在させて単位領域ごとにそれぞれ配設され、ダクトから床下チャンバへ向かう調和空気の流量をあらかじめ設定された値に調整する複数の流量調整部と、前記ダクトの端部に接続され、調和空気をダクトを通じ各床下チャンバに向けて送給する空気調和装置と、人の存在の有無を検出可能として前記各単位領域ごとに複数配設され、検出範囲に一又は複数の座席を含み、且つ一単位領域内の全ての座席がいずれかの検出範囲に含まれる配置とされる人感センサと、前記各単位領域ごとの各人感センサの検出情報を入力され、単位領域におけるいずれかの人感センサで人の存在を検出した場合は、単位領域ごとの前記流量調整部が床下チャンバに向かう調和空気流量を所定の設定流量とし、また、単位領域におけるいずれの人感センサでも人の存在を検出できない場合は、単位領域ごとの流量調整部が床下チャンバに向かう調和空気流量を０又は所定の最小流量とするように、流量調整部の作動制御を行う制御部とを備え、当該制御部による制御で、人感センサで人の存在を検出した場合に、前記流量調整部の床下チャンバに向かう調和空気流量として与えられる前記設定流量が、前記床下チャンバに接続された各吹出口装置から吹出される調和空気を、いずれも床上所定高さ範囲まで到達させられる所定流量であるものである。
【０００７】
このように本発明によれば、空気調和対象空間に設定した各単位領域に対応する床下チャンバに対し、空気調和装置の調和空気をダクトを介して送込むようにすると共に、このダクトと床下チャンバ吹出口との間に流量調整部を配設し、また、単位領域に複数設けた人感センサで単位領域の各座席における人の存在の有無を検出し、人感センサで人の存在を検出した場合には、流量調整部を十分な所定量の調和空気が床下チャンバ側へ通過する状態とする一方、人の存在が検出できない状況では、流量調整部を調和空気の床下チャンバ側への通過を抑制する状態として、床下チャンバから各吹出口を通じての調和空気の吹出しを単位領域における人の存在状況に応じた最適な状態とすることにより、大規模な空気調和対象空間における居住域への空気調和を実行するにあたり、各単位領域ごとに座席における人の存在を検出できない場合には、調和空気の供給を抑えて、空気調和対象空間の必要のない領域に調和空気を吹出さないこととなり、空気調和に係るエネルギー消費の無駄を小さくし、簡略な制御構成ながら効率よくシステムを運用でき、空気調和に係るコストの抑制が図れる。
【０００８】
また、本発明に係る空気調和システムは必要に応じて、前記制御部の制御に基づく各単位領域の流量調整部の流量調整内容を、管理者の認識可能な状態で報知する報知手段を備え、前記制御部が、管理者の所定の操作入力を受けて、流量調整部に対し前記人感センサの検出結果に基づく流量調整状態を変更する制御を実行可能とされるものである。
【０００９】
このように本発明によれば、人感センサの検出に対応した制御に基づく流量調整部の流量調整内容を、報知手段による報知で管理者が認識でき、こうした流量調整内容を必要に応じ確認した上で、管理者が制御部に対し操作を行うと、制御部は流量調整部に対し流量調整状態を変更する制御指令を行い、これに応じて流量調整部が作動して流量調整を実行することにより、報知手段からの報知内容と実際の空気調和状態との照合で、管理者は各単位領域ごとに人感センサでの検出や流量調整部の流量調整にかかる作動が適切になされているか否かを判別でき、各部の異常を速やかに見つけて対応できる。加えて、空気調和対象空間に人が入る所定時間前からの空気調和対象空間居住域の予熱や予冷としての暖房や冷房を、座席に人が存在しない状況でも、管理者の操作に基づいて確実に強制実行させることができ、また、空気調和対象空間の各単位領域に人が存在している場合に調和空気吹出しを緊急停止すべき状況が生じた際にも、管理者の操作に基づいて流量調整部を確実に空気吹出し停止状態に移行させられる。
【００１０】
また、本発明に係る空気調和システムは必要に応じて、前記流量調整部、人感センサ、及び制御部が、それぞれ通信手段を備え、前記制御部が、複数の流量調整部の作動制御をまとめて行うものとされ、前記各単位領域の各人感センサからの検出情報が、前記通信手段間の無線通信を経て制御部に入力されると共に、制御部からの制御指令情報が通信手段間の無線通信を経て各流量調整部に伝えられ、制御指令情報に基づいて流量調整部が作動するものである。
【００１１】
このように本発明によれば、各単位領域の人感センサから出力される検出情報を無線通信で制御部に送信し、さらに検出情報に基づく制御部の制御指令が流量調整部に無線通信で送信されて、各流量調整部の作動制御が実行されることにより、必要最小限の制御部で各単位領域ごとの調和空気の吹出し状態をまとめて調整できると共に、制御部と各単位領域との距離が大きくなる場合でも、制御部に対し、単位領域に対応する人感センサや流量調整部との通信のための配線等を行わずに済み、こうした通信線等を設置する手間とコストを省略できる。
【００１２】
また、本発明に係る空気調和システムは必要に応じて、前記座席が、椅子状とされて、空気調和対象空間の床上に、左右方向に複数隣接状態で並べた列を、さらに前後に所定間隔で略平行に並べる複数列配置として設けられ、前記吹出口装置は、座席下方の床位置に配設され、調和空気の吹出し対象を、吹出口上側の座席に対し後列側に位置する複数の座席とされ、前記人感センサが、前記調和空気の吹出し対象となる前記後列側の複数の座席を少なくとも見通せる前記吹出口装置上の所定位置に配置されるものである。
【００１３】
このように本発明によれば、複数列に並べられた椅子状の座席の下側に吹出口装置が配設され、この吹出口装置と一体に人感センサを配設し、且つ、人感センサの検出範囲が、吹出口装置からの調和空気が向かう座席を含むように人感センサを配置して、座席における人の存在を検出するようにすることにより、人感センサで存在を検出された人の座る座席に対して、前方の吹出口装置から調和空気を確実に到達させて空気調和を行えることとなり、各座席における人の存在検出と空気調和をその座席からは見えにくい位置より、人に意識させることなく正確に実行できる。
【００１４】
また、本発明に係る空気調和システムは必要に応じて、前記各単位領域ごとに、単位領域内の環境に係る所定の情報を検出し取得する所定のセンサを備え、前記制御部が、前記センサの検出情報を入力され、センサ及び人感センサの各検出情報に基づいて、前記流量調整部の調和空気流量を前記設定流量とするか、又は、０もしくは所定の最小流量とするか、を決定し、当該決定に基づいて流量調整部の作動制御を行うものである。
【００１５】
このように本発明によれば、人感センサとは別のセンサを各単位領域ごとに設置し、センサから出力される情報を制御部で受取り、センサからの情報に基づく制御部の制御指令が流量調整部に送られて、各流量調整部が作動して流量調整を実行することにより、人の存在の有無に加えて、単位領域の状況に対応して調和空気の流量調整を行って、その時点で最適な空気調和状態を得ることができる。
【００１６】
また、本発明に係る空気調和システムは必要に応じて、前記制御部が、前記人感センサの検出情報の入力を受け、人の存在検出の有無に基づいて前記流量調整部の調和空気流量を維持又は変更する制御を所定の時間間隔で実行すると共に、当該制御の間隔を、空気調和対象空間の使用形態に基づいて既知となっている、空気調和対象空間における人の行動に係る状況の変化、に合わせて変更調整するものである。
【００１７】
このように本発明によれば、制御部が人感センサから出力される検出情報を受取り、人感センサからの検出情報に基づいて必要に応じて流量調整部に流量調整を行わせる制御が、所定時間おきに行われて、人の存在状況の変化に対応して所定時間おきに流量調整状態が更新されていく中で、制御部は空気調和対象空間における状況変化に対応させて、人感センサの検出に基づく制御の間隔を変えていくことにより、例えば、人が外から空気調和対象空間に入って座席に着く状況から、人が座席にしばらく在席してじっとしているような状況へ移行する場合には、人感センサからの検出情報に基づいて流量調整を行わせる制御の間隔を長くするなど、人の存在の変化が生じにくい状態に対応して、制御の精度を維持しつつ制御の頻度を減らすようにして、制御における消費電力を抑えられるなど、制御のためのコストを低減できる。
【図面の簡単な説明】
【００１８】
【図１】本発明の一実施形態に係る空気調和システムの概略構成図である。
【図２】本発明の一実施形態に係る空気調和システムを適用する空気調和対象空間の概略平面図である。
【図３】本発明の一実施形態に係る空気調和システムにおける吹出口装置の平面図である。
【図４】本発明の一実施形態に係る空気調和システムにおける吹出口装置及び人感センサ配置状態説明図である。
【図５】本発明の一実施形態に係る空気調和システムにおける床下チャンバの概略構成説明図である。
【発明を実施するための形態】
【００１９】
以下、本発明の一実施形態に係る空気調和システムを前記図１ないし図５に基づいて説明する。本実施形態においては、多目的ホール等の大空間となる空気調和対象空間の床９０上に、人の座る座席８５が多数設けられると共に、空気調和の単位領域８０が複数設定され、これら単位領域８０に対し、一括して調和空気を送り出す空気調和装置５０により集中的に空気調和が行われる状況で、各単位領域８０に対する調和空気の供給制御を行う例を説明する。
【００２０】
前記各図において本実施形態に係る空気調和システムは、空気調和対象空間の床９０に多数配設されて調和空気を吹出す吹出口装置１０と、空気調和対象空間に設定される複数の単位領域８０ごとに床下に配設されて、各吹出口装置１０にそれぞれ接続される略箱状の床下チャンバ２０と、複数分岐して各床下チャンバ２０と接続されるダクト３０と、各床下チャンバ２０とダクト３０の間に介在させて単位領域ごとに配設される前記流量調整部としての複数の定風量調整部４０と、ダクト３０端部に接続され、調和空気をダクトを通じ各床下チャンバ２０に向けて送給する空気調和装置５０と、人の存在の有無を検出可能として前記各単位領域８０ごとに複数配設される人感センサ６０と、各単位領域ごとの各人感センサ６０の検出情報を入力されて各定風量調整部４０の制御を行う前記制御部としての空気量制御部７０とを備える構成である。
【００２１】
本実施形態の例における空気調和対象空間の床９０上には、人の座る座席８５が左右に並んで列をなし、且つこの座席８５の列が前後に複数並ぶようにして、多数の座席が設けられる。そして、空気調和対象空間の床９０は、空間のホール等としての使用目的の関係上、空間の後方に至るほど座席位置を高くしてステージ等のある前方への見通しをよくする階段状に形成され、座席８５の上下位置を、横方向に隣接するものとは同じとする一方、前後方向に隣接するものとは一部を除いてずれる状態としている。
【００２２】
空気調和の単位領域８０は、複数の座席８５を含む床９０上の所定範囲とされて、空気調和対象となる全ての座席８５がいずれかの単位領域内に入るようにそれぞれ設定される。具体的には、単位領域８０は並んだ座席８５における前後二列分の所定数を含むよう設定されるが、各単位領域に含まれる座席数は全て同一とはなっておらず、座席数は複数通り設定されている。
【００２３】
前記吹出口装置１０は、調和空気の吹出し範囲に一又は複数の座席８５を含んで前記単位領域８０ごとに複数配設され、一単位領域内の全ての座席８５がいずれかの吹出口装置１０の吹出し範囲に位置するようにされる構成である。吹出口装置１０の構造自体は公知の床吹出口装置であり、詳細な説明を省略する。
この吹出口装置１０は、座席８５下方の床位置に配設され、調和空気の吹出し対象を、吹出口上側の座席８５に対し後列側に位置する複数の座席とされる。
【００２４】
前記床下チャンバ２０は、各単位領域８０ごとに配設される複数の吹出口装置１０に接続される略箱状体として、空気調和対象空間における単位領域８０近くの床下に複数配設され、供給された調和空気を各吹出口装置１０に分配するものである。この床下チャンバ２０に対する各吹出口装置１０の接続位置関係に伴い、そのままでは各吹出口装置１０に分配される調和空気の量が偏る場合、各吹出口装置１０ごとに流量調整用のダンパを設けて調和空気の流量を調整し、調和空気の各吹出口装置１０への分配が適切となるようにするのが望ましい。
【００２５】
前記ダクト３０は、空気調和対象空間の床下に複数分岐した管路として配設され、複数分岐した端部を定風量調整部４０を介して各床下チャンバ２０と接続され、調和空気を各床下チャンバ２０に供給するものである。
【００２６】
このダクト３０で、空気調和装置５０から導入した調和空気を、各単位領域８０に対応する床下チャンバ２０まで到達させることで、床下チャンバ２０を経た調和空気が吹出口装置１０から単位領域８０に吹出して空気調和を行えることとなる。
【００２７】
前記定風量調整部４０は、前記流量調整部として、床下の各床下チャンバ２０とダクト３０との間に介在させて単位領域８０ごとにそれぞれ対応させて配設され、ダクト３０から床下チャンバ２０へ向かう調和空気の流量をあらかじめ設定された値に調整するものである。この定風量調整部４０は、通過風速を検出するセンサや、開度を調整するダンパを内蔵して、ダクトの静圧が変化してもあらかじめ設定された風量（流量）を維持するよう調整制御を行う公知の装置であり、詳細な説明を省略する。
【００２８】
この定風量調整部４０が、各単位領域８０の床下チャンバ２０とダクト３０間にそれぞれ介設され、空気量制御部７０からの制御指令を受けて、床下チャンバ２０内へ向う調和空気の流量を、あらかじめ設定された最大流量と、０又は最小流量とのいずれかに切替え調整する作動を実行することとなる。なお、定風量調整部４０は、人感センサ６０で人の存在を検出した場合における空気量制御部７０による制御で、調和空気流量として与えられる最大流量としては、接続されている床下チャンバ２０に通じた各吹出口装置１０から吹出される調和空気を、いずれも居住域（タスク域）である床上所定高さ範囲まで到達させられる流量、をあらかじめ設定されている。
【００２９】
例えば、各単位領域８０において床下チャンバ２０に接続される複数の吹出口装置１０が設置される場合、単位領域内の座席８５に人が在席しているのに伴って、定風量調整部４０が最大流量となっている状態から、在席している人がいない状況に至ると、床下チャンバ２０と連通する定風量調整部４０が、空気量制御部７０による制御で、床下チャンバ２０内へ向う調和空気の流量を０又は最小流量とし、床下チャンバ２０を経て吹出口装置１０から単位領域８０へ調和空気が吹出されるのを抑える。
【００３０】
このように、人が存在しない単位領域の定風量調整部４０は、床下チャンバへ向う調和空気の流量を０又は最小流量とするのに対し、人が存在する他の単位領域の床下チャンバ２０に通じる定風量調整部４０の方は、床下チャンバ２０へ向う調和空気の流量を最大流量としており、この調和空気の流入する床下チャンバ２０に連通する吹出口装置１０からのみ調和空気が吹出される。空調系統全体としては、人がいなくなった単位領域８０の床下チャンバ２０へ向う調和空気の流量が最大流量から０又は最小流量に調整された分、空気調和対象空間への調和空気供給量が減らされた状態となる。
【００３１】
各定風量調整部４０は、所定の作動用通信手段４１と接続され、こうした通信手段を介した空気量制御部７０との間の無線通信により制御指令情報の信号を受取り、空気量制御部７０の制御下で流量調整に係る作動を実行する。なお、作動用通信手段４１は、人感センサ６０に接続されるデータ送信用通信手段６１と空気量制御部７０に接続される制御用通信手段７１との間の通信において、中継局としての役割を果たすようにしてもよい。
【００３２】
前記空気調和装置５０は、ダクト３０の端部に接続され、調和空気をダクト３０を通じ各床下チャンバ２０に向けて送給するものである。
この空気調和装置５０は、空気調和対象空間を有する建物における各単位領域８０から離れた所定箇所に配設され、外部から取り入れた新しい空気又は室内空間から還流させた空気の温度を調整して調和空気とし、この調和空気を接続されているダクト３０で送給するものである。空気調和装置そのものは公知の機構であり、詳細な説明を省略する。
【００３３】
また、空気調和装置５０は、所定の制御指令に基づいて調和空気供給に係る作動を開始又は停止させる他、ダクト３０内の所定箇所に配設された圧力センサ５１の、ダクト内圧力の検出に伴って出力した信号を受取り、この信号から判別できるダクト内圧力の大きさに基づいて空気供給能力を増減変化させ、ダクト３０を通じた各床下チャンバ２０への調和空気の送給量を調整する仕組みである。
【００３４】
各単位領域８０に対応する定風量調整部４０が、単位領域８０における人の不在に基づいて最小流量状態又は閉止状態（流量０の状態）に切り替わると、ダクト内圧力は大きくなり、逆に定風量調整部４０が、単位領域８０における人の存在に基づいて最大流量状態に切り替わると、ダクト内圧力は小さくなる。
【００３５】
定風量調整部４０が最小流量状態又は閉止状態の場合には、空気調和装置５０側では調和空気の送給能力は小さくても済み、逆に定風量調整部４０が最大流量状態の場合には、空気調和装置５０側では調和空気の送給能力を大きくする必要があることから、この定風量調整部４０の変化に対応したダクト内圧力の変化を圧力センサ５１で検出し、このダクト内圧力に基づいて空気調和装置５０で空気供給能力を調整制御することとなる。こうして、空気調和装置５０における空気供給に係る制御と、人の存在の有無に基づく定風量調整部４０の流量調整に係る制御とが互いに独立し、連係のための調整等の追加の制御を要しない、極めて簡略な制御機構ながら、定風量調整部４０の状態に空気調和装置５０の作動を適切に対応させられ、無駄なく調和空気を送給でき、調和空気供給に係る過剰なエネルギー消費を防止できる。
【００３６】
前記人感センサ６０は、人の存在の有無を検出可能として前記各単位領域８０ごとに複数配設され、検出範囲に一又は複数の座席８５を含み、且つ一単位領域内の全ての座席８５が複数のセンサのいずれかの検出範囲に含まれる配置とされるものである。
この人感センサ６０は、人の動きに伴う入射赤外線の変化を検出して電気信号を出力する公知の焦電型の人体検出用センサであり、詳細な説明を省略する。
【００３７】
人感センサ６０は、各単位領域８０における一部の吹出口装置１０上に、検出部分を上方に向けて、単位領域８０におけるセンサ検出範囲が、横方向に並んだ複数の座席８５を含む適切な大きさで得られ、且つセンサ検出範囲が互いに近接しながらも重ならないようにして複数配設される。具体的には、各単位領域８０における床上で横方向に一列に並んだ座席８５の一つおきに、吹出口装置１０が座席下に位置するようにして複数配置される中、これらの吹出口装置１０のうち、一つおきの吹出口装置１０に、後列側の複数の座席８５を見通せる配置として人感センサ６０が配設されることとなる。人感センサ６０の検出範囲は、この人感センサの配設される吹出口装置１０の上側の座席が含まれる列の後側の列をなす複数の座席で、吹出口装置の調和空気吹出しの対象とされるものを含んだものとなっている。
【００３８】
この人感センサ６０は、所定のデータ送信用通信手段６１と接続され、こうした通信手段を介した空気量制御部７０との間の無線通信により検出情報の信号を送信し、この検出情報の信号が空気量制御部７０に入力されることで、空気量制御部７０で単位領域ごとに座席８５に存在する人の有無に応じた制御が行えるようにしている。なお、人が座席８５に座った後、立つなどの動きを生じることなく座ったまましばらく動かない状態となっても、人感センサは人の微動を検出可能であることから、座った状態でも厳密には静止状態となっていない人のわずかな動きに基づき、座席上の人の存在を検出できる仕組みである。
【００３９】
データ送信用通信手段６１では、人感センサ６０が人の検出を継続する中、座席８５における人の存在、すなわち人の在席の有無を示す検出情報の信号を、空気量制御部７０に向けて所定時間間隔（例えば、２分に一回）で断続的に送信することとなる。
【００４０】
前記空気量制御部７０は、各単位領域８０ごとの各人感センサ６０の検出情報を入力され、単位領域におけるいずれかの人感センサで人の存在を検出した場合は、検出された単位領域８０ごとの定風量調整部４０が床下チャンバ２０に向かう調和空気流量を所定の最大流量とし、また、単位領域８０におけるいずれの人感センサでも人の存在を検出できない場合は、単位領域８０ごとの定風量調整部４０が床下チャンバに向かう調和空気流量を０又は所定の最小流量とするように、各定風量調整部４０の制御を行う構成である。
【００４１】
この空気量制御部７０は、全ての単位領域に対応するものが唯一設けられ、全ての定風量調整部４０の作動制御をまとめて行うものとされる。詳細には、空気量制御部７０は、各単位領域における各人感センサ６０の検出情報の信号を制御用通信手段７１を介して受取り、各検出情報の信号から、それぞれの人感センサ６０の検出範囲における人の存在の有無を識別し、その結果に基づいて、各単位領域の定風量調整部４０に向け、制御用通信手段７１を介して、調和空気流量を最大流量とするか、流量を０又は最小流量とする制御指令の信号を送信する。
【００４２】
そして、空気量制御部７０は、制御用通信手段７１を通じて、人感センサ６０の検出情報の入力を受け、人の存在検出の有無に基づいて定風量調整部４０の調和空気流量を維持又は変更する制御を前記送信間隔に合わせた所定の時間間隔（例えば、２分に一回）で実行している。すなわち、この制御の間隔で、空気量制御部７０により各単位領域８０における空気調和の状態が更新されることとなる。なお、空気調和対象空間の使用形態、本実施形態ではホールとしての使用、に基づいて既知となっている、演目の開演時間以降など、人の移動のある状況から人が座席８５からほとんど動かない状況への移行に合わせて、人感センサ６０側からの信号送信とこれに基づく空気量制御部７０での定風量調整部４０の制御実行の頻度を少なくする、すなわち、前記送信や制御実行の時間間隔をより長いもの（例えば、１０分に一回）に変えるようにすることもできる。
【００４３】
こうした空気量制御部７０と合わせて、空気量制御部７０の制御に基づく各単位領域８０の定風量調整部４０の流量調整内容を表示して、管理者に認識可能とする前記報知手段としての表示部７２が設けられる。この表示部７２の表示内容と、実際の空気調和状態とを照合することで、管理者は各単位領域ごとに人感センサ６０での検出や定風量調整部４０の流量調整にかかる作動が適切になされているか否かを判別できる。そして、管理者は、表示と実際の状況が異なる形で現れた各部の異常を速やかに見つけて対応できることとなる。
【００４４】
この他、空気量制御部７０は、管理者の操作入力を受付ける入力手段（図示を省略）を備えており、この入力手段による管理者の所定の操作入力を受けて、定風量調整部４０に対し人感センサ６０の検出結果に基づく流量調整状態を変更する制御を実行可能とされる構成である。
【００４５】
具体的には、人感センサ６０の検出に対応した制御に基づく定風量調整部４０での流量調整内容を表示部７２の表示で認識している管理者が、何らかの理由に基づいて流量調整状態を現状から変更したい場合に、空気量制御部７０に対し所定の操作を行うと、空気量制御部７０は定風量調整部４０に対し流量調整状態を変更する制御指令を行い、これに応じて定風量調整部４０が作動して流量調整を実行することとなる。
【００４６】
例えば、空気調和対象空間に人が入る所定時間前からの、空気調和対象空間居住域の予熱や予冷としての暖房や冷房を行いたい場合に、座席８５に人が存在しない状況で通常は人感センサ６０の検出に基づいて定風量調整部４０での調和空気流量を０又は所定の最小流量とする制御がなされている中、管理者が空気量制御部７０に対し操作を行うことで、空気量制御部７０が定風量調整部４０に対し流量調整状態を変更する作動制御を実行し、定風量調整部４０は流量調整として調和空気流量を所定の最大流量とする。こうして、各単位領域における吹出口装置から調和空気が吹出されて、座席８５に人が存在しない状況での暖房又は冷房が実現することとなる。
【００４７】
逆に、空気調和対象空間の各単位領域に人が存在している場合に調和空気吹出しを緊急停止すべき状況が生じた際にも、管理者の操作に基づく空気量制御部７０の制御で、定風量調整部４０を確実に空気吹出し停止状態に移行させられる。
【００４８】
次に、前記構成に基づく空気調和システムにおける空気調和の調整状態について説明する。前提として、空気調和装置５０が起動しており、ダクト３０を通じて調和空気を各床下チャンバ２０側に送給しようとしているものとする。
【００４９】
空気調和対象空間における所定の単位領域８０において、いずれの座席８５にも人が存在せず、いずれの人感センサ６０においても人が検出されない状態にある場合、人感センサ６０からの検出情報の信号が、データ送信用通信手段６１を通じて空気量制御部７０に向けて送信され、これを制御用通信手段７１を介して空気量制御部７０が受け取ることとなる。そして、検出結果に基づいて空気量制御部７０で単位領域８０に人が存在していないと認定され、空気量制御部７０は、制御用通信手段７１を通じて制御指令の信号を送信し、定風量調整部４０を、床下チャンバ２０にわずかな調和空気が導入される最小流量状態、又は、全く調和空気を導入されない流量０の状態とする。
【００５０】
この状態では、床下チャンバ２０から調和空気が吹出口装置１０を通じて空気調和対象空間に導入されることはなく、人の存在しない単位領域８０に対して調和空気がそのまま吹出されて空気調和が実行される状況を防止でき、他の人が存在する単位領域へのみ空気調和を行うことで、無駄なエネルギー消費を無くして効率よく空気調和を進められる。
【００５１】
一方、空気調和対象空間の所定の単位領域８０に人が存在している場合、具体的には、その単位領域８０におけるいずれかの人感センサ６０の検出範囲の座席８５に人が存在している場合、人感センサ６０により人の存在が検出され、人感センサ６０からの検出情報の信号が、データ送信用通信手段６１を通じて空気量制御部７０へ向けて送信される。そして、制御用通信手段７１を通じて検出情報を受信した空気量制御部７０で単位領域８０に人が存在していると認定され、空気量制御部７０の制御で、この単位領域に対応する定風量調整部４０は最大流量状態となって、調和空気を十分な流量で床下チャンバ２０側へ通過させる。そして、その単位領域の座席上に存在する人全てに対応した空気調和を実現する十分な量の調和空気が、床下チャンバ２０を経て各吹出口装置１０から空気調和対象空間の居住域（タスク域）に導入される吹出し状態となる。
【００５２】
より具体的には、階段状に配置された座席８５のうち、吹出口装置１０の上側の座席に対し後列側となる、所定数の座席に在席する人に対し、吹出口装置１０から吹出された調和空気がドラフトを感じさせない程度の流速で到達することとなる。
【００５３】
こうした空気量制御部７０による制御で、所定の単位領域８０に対応する定風量調整部４０が最小流量状態又は閉止状態から最大流量状態に切替わる際には、その定風量調整部４０を通じて単位領域８０へ調和空気が新たに進行する分、ダクト３０内の圧力が低下する変化を生じることとなり、このダクト内圧力の変化は圧力センサ５１で検出され、圧力センサ５１からの信号を受けた空気調和装置５０は圧力低下を補う目的で調和空気の送給能力を大きくするように調整制御される。こうして、空気調和装置５０から各単位領域８０の床下チャンバ２０に向けて十分な送給能力で調和空気が送られることとなり、新たに人の存在するようになった単位領域に対し、床下チャンバ２０を経た適量の調和空気を吹出口装置１０から吹出して確実に空気調和を行え、居住域（タスク域）の温度を座席に在席する人に対し良好な状態に維持できる。
【００５４】
逆に、空気量制御部７０による制御で、所定の単位領域８０に対応する定風量調整部４０が最大流量状態から最小流量状態又は閉止状態に切替わる際には、その定風量調整部４０の対応する単位領域８０に調和空気が進めなくなり、ダクトにおける調和空気の流れが滞る分、ダクト３０内の圧力が大きくなる。こうした定風量調整部４０の変化に基づくダクト内圧力の変化は圧力センサ５１で検出され、圧力センサ５１からの信号を受けた空気調和装置５０は、過剰な圧力を下げる目的で、調和空気の送給能力を抑えるように調整制御される。これにより、最小流量状態又は閉止状態となった定風量調整部４０と接続する床下チャンバ２０以外の床下チャンバ２０に向けて、空気調和装置５０から過剰な送給能力をもって調和空気が送られることはなく、空気調和装置５０の送給動作に係るエネルギー消費を抑えて、無駄なく適切に調和空気を他の領域に向け送給できる。
【００５５】
このように、本実施形態に係る空気調和システムにおいては、空気調和対象空間に設定した各単位領域８０に対応する床下チャンバ２０に対し、空気調和装置５０の調和空気をダクト３０を介して送込むようにすると共に、このダクト３０と床下チャンバ２０との間に定風量調整部４０を配設し、また、単位領域８０に複数設けた人感センサ６０で単位領域８０の各座席８５における人の存在の有無を検出し、人感センサ６０で人の存在を検出した場合には、定風量調整部４０を十分な所定量の調和空気が床下チャンバ２０側へ通過する状態とする一方、人の存在が検出できない状況では、定風量調整部４０を調和空気の床下チャンバ２０側への通過を抑制する状態として、床下チャンバ２０を経た調和空気の各吹出口装置１０からの吹出しを単位領域８０における人の存在状況に応じた最適な状態とすることにより、大規模な空気調和対象空間における居住域への空気調和を実行するにあたり、各単位領域８０ごとに座席８５における人の存在を検出できない場合には、調和空気の供給を抑えて、空気調和対象空間の必要のない領域に調和空気を吹出さないこととなり、空気調和に係るエネルギー消費の無駄を小さくし、簡略な制御構成ながら効率よくシステムを運用でき、空気調和に係るコストの抑制が図れる。
【００５６】
また、吹出し停止に係る定風量調整部４０の流量切替えに伴うダクト内圧力の変化に対応して空気調和装置５０を制御することで、調和空気流量の低減に合わせて空気調和装置の出力も抑えられ、空気調和に係るエネルギー消費を小さくすることができ、簡略な制御構成ながら効率よくシステムを運用でき、空気調和に係るコストの抑制が図れる。さらに、空気調和装置５０の制御と、各単位領域８０に対応する定風量調整部４０の人の有無に基づく制御とを相互に接続、連係させて制御を行う必要が無く、独立させて運用できるため、制御系を簡略化でき、空気調和を行う基準となる単位領域の追加、削減も容易である。
【００５７】
なお、前記実施形態に係る空気調和システムにおいては、定風量調整部４０の調和空気流量切替えに係る作動を制御する空気量制御部７０をシステム内に一つのみ設けて、各定風量調整部４０の作動制御をまとめて実行する構成としているが、これに限らず、各単位領域ごとに空気量制御部を設けて、単位領域ごとに定風量調整部をその制御のみに対応した空気量制御部で作動制御する構成とすることもできる。
【００５８】
この場合も、各単位領域における、各人感センサから空気量制御部への検出情報の送出や、空気量制御部から定風量調整部への制御指令の送出を、人感センサや空気量制御部、定風量調整部にそれぞれ併設した通信手段を介して無線通信で行うようにしてもよく、人感センサと空気量制御部とが離れた配置とされたり、これらが床下チャンバ等の壁を隔てて設けられている場合でも問題なく制御に係る通信が行える。
【００５９】
また、前記実施形態に係る空気調和システムにおいては、単位領域８０ごとの複数の人感センサ６０により座席８５における人の有無を検出し、得られた検出情報に基づいて空気量制御部７０が定風量調整部４０の制御を行う構成としているが、この他、各単位領域ごとに、単位領域内の環境に係る所定の情報、例えば、温度や湿度、二酸化炭素濃度など、を検出し取得する所定のセンサを人感センサとは別途備え、空気量制御部７０で前記センサの検出情報も受取れるようにして、センサ及び人感センサの各検出情報に基づいて、空気量制御部７０で定風量調整部４０の調和空気流量を決定し、定風量調整部の作動制御を行う構成とすることもでき、センサで取得した単位領域の状況に適応した空気調和状態を得られることとなる。
【００６０】
また、前記実施形態に係る空気調和システムにおいて、システムを適用する空気調和空間の床９０は、空間の後方に至るほど座席位置を高くする階段状に形成される構成としているが、これに限らず、床を一様な高さの平面状に形成する構成とすることもでき、空気調和対象空間の使用形態に沿った各種床形状に対応できる。さらに、座席８５についても、椅子状に限られるものではなく、人の座ることのできる形態及び大きさのものであればよく、例えば人が座る場所として定められた、床を単に区画したスペースのようなものでもかまわない。この場合、吹出口装置は座席上の人に調和空気を到達させられる形態として適宜設けることができる。
【００６１】
また、前記実施形態に係る空気調和システムにおいては、流量調整部として、接続されるダクト１０の静圧が変化してもあらかじめ設定された風量（流量）を維持するよう自動調整する公知の定風量調整部４０を用い、空気量制御部７０で定風量調整部４０の設定を最大流量状態と最小流量状態又は閉止状態とのいずれかに切替える構成としているが、これに限らず、流量調整部としては、調和空気の流量を少なくとも最小流量状態又は閉止状態を含む複数段階に切替えられるものであればよく、人感センサ６０による検出結果に基づく空気量制御部７０の制御で、複数段階の調和空気供給状態を切替えて、前記実施形態同様、各単位領域への吹出しを人の存在に対応させて実行できる。
【符号の説明】
【００６２】
１０        吹出口装置
２０        床下チャンバ
３０        ダクト
４０        定風量調整部
４１        作動用通信手段
５０        空気調和装置
５１        圧力センサ
６０        人感センサ
６１        データ送信用通信手段
７０        空気量制御部
７１        制御用通信手段
７２        表示部
８０        単位領域
８５        座席
９０        床
【図１】
2014202417.tif 000003
【図２】
2014202417.tif 000004
【図３】
2014202417.tif 000005
【図４】
2014202417.tif 000006
【図５】
2014202417.tif 000007